(57)【要約】【課題】エラストマーからなるボディー部を有するルアーに対して、そのボディー部の可撓性を低下させることなくラインやフックを取り付ける。【解決手段】ルアー１がエラストマーからなるボディー部２と、ライン取り付け部３とフック取り付け部６とを有する。ライン取り付け部３とフック取り付け部６とは、複数の金属環のそれぞれが自由に動き得るようにつながった連環７の両端部１２，１３それぞれに形成され、連環７は、これら両端部１２，１３間の一部分１６がボディー部２に埋められた状態にある。【選択図】図１
2005176769.tif 000002
【特許請求の範囲】
【請求項１】
エラストマーで形成されたボディー部と、ライン取り付け部と、フック取り付け部とを有するルアーにおいて、
前記ライン取り付け部と前記フック取り付け部とが複数の金属環のそれぞれが自由に動き得るようにつながった連環の両端部それぞれに形成され、前記連環の前記両端部間における一部分が前記ボディー部に埋められた状態にあって前記ライン取り付け部とフック取り付け部とが前記ボディー部の外側にあることを特徴とする前記ルアー。
【請求項２】
前記連環における前記一部分の前記金属環に対して前記エラストマーが貫通した状態にある請求項１記載のルアー。
【発明の詳細な説明】
【技術分野】
【０００１】
この発明は、フィッシングに使用するルアーに関する。
【背景技術】
【０００２】
プラグ、クランクベイト、ワーム等と呼ばれるルアーは周知である。また、この種ルアーとして、魚や虫の形に作られたボディー部にシャフトが埋め込まれ、そのシャフトに環状のライン取り付け部や環状のフック取り付け部が設けられているものも周知である。例えば、高田弘之著「ルアー＆ロッド手作り入門」（昭和５９年廣済堂出版刊、非特許文献１）の７４頁には、シャフトの作り方として、「ステンレスワイヤー（０．８〜１ミリ口径）を、Ｏ型プライヤーでスピナーのシャフトにループを作ったときの要領（３１頁参考）で、写真のようにアイレット、フックアイ２ヶ所計３ヶ所のループのつけたボディーの長さにあわせ形に成形する。そして細い針金（ピアノ線や荷札の金属線）で巻き止め、接着剤もしくはハンダで固定する。」と記載されている。この記載は、誤植と思われるところを有するが、大意の把握は可能である。
【非特許文献１】高田弘之著「ルアー＆ロッド手作り入門」（昭和５９年廣済堂出版刊）
【発明の開示】
【発明が解決しようとする課題】
【０００３】
ルアーのボディー部は、木や金属、ポリカーボネート等の硬質プラスチックで作られる他に、天然ゴムやシリコンゴム等のエラストマーで作られることがある。そのエラストマーからなるボディー部は柔軟にして可撓性に富むものであるが、そのボディー部に対して、ラインやフックを取り付けるための手段として針金で作られたシャフトを埋め込むと、ボディー部の可撓性が低下して、ラインの操作でボディー部をしなやかに変形させながらルアーを泳がせるということが難しくなる。
【０００４】
そこで、この発明は、エラストマーからなるボディー部を有するルアーにおいて、ボディー部の可撓性を低下させることなくラインやフックをそのボディー部に取り付けられるようにすることを課題にしている。
【課題を解決するための手段】
【０００５】
前記課題解決のために、この発明が対象とするのは、エラストマーからなるボディー部と、ライン取り付け部と、フック取り付け部とを有するルアーである。
【０００６】
かかるルアーにおいて、この発明が特徴とするところは、前記ライン取り付け部と前記フック取り付け部とが複数の金属環のそれぞれが自由に動き得るようにつながった連環の両端部それぞれに形成され、前記連環の前記両端部間における一部分が前記ボディー部に埋められた状態にあって前記ライン取り付け部とフック取り付け部とが前記ボディー部の外側にあること、にある。
【０００７】
この発明の好ましい実施態様において、前記連環における前記一部分の前記金属環に対して前記エラストマーが貫通した状態にある。
【発明の効果】
【０００８】
この発明に係るルアーでは、エラストマーで形成されたボディー部に連環の少なくとも一部分が埋められるとともに、連環の両端部それぞれにライン取り付け部とフック取り付け部とがボディー部の外側に位置するように形成されている。連環を形成している金属環のそれぞれは自由に動き得るようにつながったものであるから、そのような連環はボディー部に埋められていてもボディー部とともに屈曲可能であって、ボディー部の可撓性を低下させることがない。
【０００９】
また、ボディー部に埋められた金属環に対して、エラストマーが貫通した状態にあるルアーでは、ルアーの使用中にボディー部と連環とが互いに反対方向へ引っ張られても、連環はボディー部から抜けることがない。
【発明を実施するための最良の形態】
【００１０】
添付の図面を参照して、この発明に係るルアーの詳細を説明すると、以下のとおりである。
【００１１】
図１に側面図で示されたルアー１は、魚の形に作られたボディー部２と、魚の口先であるボディー部２の先端部分に位置するライン取り付け部３と、魚の胸ひれ４の下方に位置するフック取り付け部６とを有し、これらライン取り付け部３とフック取り付け部６とが連環７の両端部１２，１３に形成されている。
【００１２】
ボディー部２は、天然ゴムやシリコンゴム等のエラストマーで形成されていて高い可撓性を有し、しなやかに、かつ弾性的に変形可能なものである。好ましいボディー部２では、釣人によるラインの操作の仕方や水流の向き等によって、実際の魚と同じように身を曲げたり、捩じらせたりするような挙動をとらせることができるように、その形状が作られ、また適度な柔軟性を有するエラストマーが選択される。
【００１３】
ライン取り付け部３は、図示例において金属製のスプリットリングで形成されており、スナップスイーベル（図示せず）等を介してラインが取り付けられる。
【００１４】
フック取り付け部６もまた、図示例では金属製のスプリットリングで形成されており、そのスプリットリングにフック８が取り付けられている。
【００１５】
連環７は、複数の金属環のそれぞれが自由に動き得るように鎖状につながったもので、図ではその環としてスプリットリング９が使用されている。連環７は、ライン取り付け部３が形成されている前端部１２と、フック８を取り付けるためのフック取り付け部６が形成されている後端部１３とを有し、前端部１２と後端部１３との間の一部分１６がボディー部２に埋められている。ライン取り付け部３とフック取り付け部６とはボディー部２の外にあり、フック取り付け部６ではフック８を矢印Ａ，Ｂ方向へ自由に回転させることが可能な連結具１４がスプリットリング９と９との間に介在している。連結具１４は、これが前端部１２に取り付けられていると、ルアー１を使用しているときに生じるラインのよりを解くことができる。
【００１６】
図２，３は、直状に延びる連環７の側面図と、屈曲している連環７の側面図とである。図２において、複数のスプリットリング９と連結具１４とを含む連環７は、それが屈曲可能なものとなるように、スプリットリング９と連結具１４とが互いに鎖状につながって自由に動き得る状態にある。図３では、スプリットリング９のそれぞれと連結具１４とが自由に動いて、連環７が屈曲した状態にある。
【００１７】
図１のルアー１は、例えば金型（図示せず）を使用し、次のようにして製作することができる。まず、金型に連環７をセットし、次いで、硬化するとエラストマーとなる液状原料をこの金型に注入する。そのときに、連環７のうちで金型の内部に置かれたスプリットリング９は、液状原料に浸された状態となる。液状原料が硬化してエラストマーになると、スプリットリング９は、そのエラストマーの中に埋められた状態になる。最後に、エラストマーを金型から取り出して連環７にフック８を取り付けると、連環７の一部分１６がボディー部２に埋められている図１のルアー１となる。ボディー部２では、エラストマーがスプリットリング９の周囲にあるばかりではなく、スプリットリング９を貫通している。
【００１８】
このように形成されているルアー１のボディー部２は、それがエラストマーからなるものであるからしなやかに、かつ弾性的に変形可能であり、ラインの操作の仕方や水流の受け方の如何によって、実際の魚が身を曲げたり、捩じらせたりするのと同じような挙動をとる。また、連環７にあっては、ボディー部２に埋められている一部分１６が、ボディー部２とともに容易に屈曲する。したがって、ボディー部２は、それに埋められている連環７の影響をほとんど受けることなくしなやかに変形する。また、一部分１６を形成しているスプリットリング９では、エラストマーがそのリング９を貫通しているから、ボディー部２と連環７とが互いに反対方向へ引っ張られても、連環７がボディー部２から抜けてしまうというようなことはない。かかるルアー１は、高い可撓性を有し、ラインの操作によってしなやかに変形させることが容易で、しかも優れた耐久性を有している。
【００１９】
この発明において、ボディー部２は、図示例の魚の形の他に、ワームその他適宜の形状に作ることができる。また連環７を形成している図示例の円形のスプリットリング９は、鎖として使用可能な適宜の形状のものに代えることができる。
【産業上の利用可能性】
【００２０】
この発明によれば、エラストマーからなるボディー部にライン取り付け部やフック取り付け部を設けても、ボディー部の可撓性が低下することのないルアーの製造が可能になる。
【図面の簡単な説明】
【００２１】
【図１】ルアーの側面図。
【図２】連環の側面図。
【図３】屈曲した連環を示す図。
【符号の説明】
【００２２】
１    ルアー
２    ボディー部
３    ライン取り付け部
６    フック取り付け部
７    連環
９    環
１２    前端部
１３    後端部
【図１】
2005176769.tif 000003
【図２】
2005176769.tif 000004
【図３】
2005176769.tif 000005